(57)【要約】【課題】節水時においても横引配管における汚物の搬送を可能にする。【解決手段】便器システムＡは、横引配管１０と連通可能な排水口２０が便鉢部１９の底部に開口しており、横引配管１０に沿って配置された複数の便器装置１７と、便器装置１７に設けられ、排水口２０を閉塞する閉弁方向に付勢され、開弁時には排水口２０を横引配管１０に連通させるフラッパー弁２４と、横引配管１０のうち複数の便器装置１７との接続部位より上流側の部位に接続可能であり、横引配管１０へ洗浄水Ｗを供給可能な搬送用給水装置１１と、便鉢部１９への洗浄水Ｗの供給量が多い平常モードと、便鉢部１９への洗浄水Ｗの供給量が平常時モードより少ない節水モードとの間で変更可能な供給モード変更手段としてのフロート弁３８を備えている。【選択図】図１
2019203256.tif 000002
【特許請求の範囲】
【請求項１】
横引配管と連通可能な排水口が便鉢部の底部に開口しており、前記横引配管に沿って配置された複数の便器装置と、
前記便器装置に設けられ、前記排水口を閉塞する閉弁方向に付勢され、開弁時には前記排水口を前記横引配管に連通させるフラッパー弁と、
前記横引配管のうち前記複数の便器装置との接続部位より上流側の部位に接続可能であり、前記横引配管へ洗浄水を供給可能な搬送用給水装置と、
前記便鉢部への洗浄水の供給量が多い平常モードと、前記便鉢部への洗浄水の供給量が前記平常時モードより少ない節水モードとの間で変更可能な供給モード変更手段とを備えていることを特徴とする便器システム。
【請求項２】
前記便器装置には、前記便鉢部に供給するための洗浄水を貯留する洗浄水タンクが設けられ、
前記供給モード変更手段が、
前記洗浄水タンクの給水口を開閉する弁体と、
前記弁体に浮力を付与する浮力付与形態と前記弁体に対する浮力の付与を解除する浮力解除形態との間で変更が可能なフロートを備えて構成されていることを特徴とする請求項１記載の便器システム。
【請求項３】
前記便器装置に設けられ、前記便鉢部に供給するための洗浄水を貯留可能な洗浄水タンクと、
前記洗浄水タンクの上面の開口部に取り付けられた中蓋と、
前記中蓋に形成され、前記洗浄水タンク内に水を注入することを可能にする注水口とを備えていることを特徴とする請求項１又は請求項２記載の便器システム。
【請求項４】
前記中蓋に形成され、前記中蓋を包囲するように配された周壁部と、
前記中蓋の上面に形成され、前記中蓋の外周側から前記注水口側に向かって下るように傾斜した傾斜面とを備えていることを特徴とする請求項３記載の便器システム。
【請求項５】
前記洗浄水タンク内においてオーバーフロー口を上向きに開口させたオーバーフロー管と、
前記中蓋に形成され、前記オーバーフロー口の上方に間隔を空けて配された覆い部とを備えていることを特徴とする請求項３又は請求項４記載の便器システム。
【請求項６】
前記便器装置に設けられ、前記便鉢部に供給するための洗浄水を貯留可能な洗浄水タンクと、
前記洗浄水タンク内の水位を平面視における前記洗浄水タンクの外側から目視確認可能な水位確認部材を備えていることを特徴とする請求項１ないし請求項５のいずれか１項に記載の便器システム。
【発明の詳細な説明】
【技術分野】
【０００１】
本発明は、便器システムに関する。
【背景技術】
【０００２】
特許文献１には、横引配管に沿って複数の便器を配置した汚物搬送システムが開示されている。この汚物搬送システムでは、通常の使用時に流す洗浄水の量が、便器内の汚物を横引配管へ排出するのに必要な量に抑えられ、便器の使用回数又は使用時間間隔のカウント数が所定数に達すると、各便器に、通常の便器使用時より多い量の洗浄水が供給され、横引配管内の汚物が下水管へ搬送されるようになっている。このようにすることで、節水化を図りつつ、横引配管における汚物の詰まりを防止できる。
【先行技術文献】
【特許文献】
【０００３】
【特許文献１】特開２００１−３０３６３９号公報
【発明の概要】
【発明が解決しようとする課題】
【０００４】
汎用的な便器は、横引配管との間に排水管に、上昇流路を含む水封部が設けられているため、便器内の汚物を排出するだけでも５〜６リットル程度の洗浄水を流す必要がある。そのため、この汎用タイプの便器を特許文献１の便器システムに適用した場合、災害時のように洗浄水の使用量を例えば１リットル程度に抑えるべき状況下では、便器内の汚物を排出できなくなることが懸念される。
【０００５】
本発明は、上記従来の実情に鑑みてなされたものであって、節水時においても横引配管における汚物の搬送を可能にすることを解決すべき課題としている。
【課題を解決するための手段】
【０００６】
本発明は、
横引配管と連通可能な排水口が便鉢部の底部に開口しており、前記横引配管に沿って配置された複数の便器装置と、
前記便器装置に設けられ、前記排水口を閉塞する閉弁方向に付勢され、開弁時には前記排水口を前記横引配管に連通させるフラッパー弁と、
前記横引配管のうち前記複数の便器装置との接続部位より上流側の部位に接続可能であり、前記横引配管へ洗浄水を供給可能な搬送用給水装置と、
前記便鉢部への洗浄水の供給量が多い平常モードと、前記便鉢部への洗浄水の供給量が前記平常時モードより少ない節水モードとの間で変更可能な供給モード変更手段とを備えていることを特徴とする。
【発明の効果】
【０００７】
便器装置への給水量が制限されない平常時は、供給モード変更手段を平常モードにして便鉢部への洗浄水の供給量を多くする。これにより、フラッパー弁の開弁によって便鉢部から横引配管へ排出された便鉢部内の汚物は、便鉢部に供給された洗浄水の流れに乗じて横引配管から下水管へ排出される。災害時のように便器装置への供給量が制限される節水時には、供給モード変更手段を節水モードに変更して便鉢部への給水量を少なくすれば、洗浄水の消費量を低減することができる。節水モードの状態では、便鉢部内の汚物は、フラッパー弁の開弁により便鉢部から横引配管へ排出されるが、下水管にまでは到達しない。搬送用給水装置から横引配管へ洗浄水を供給することによって、横引配管内に残留している汚物を下水管へ搬送することができる。
【図面の簡単な説明】
【０００８】
【図１】実施例１の便器システムの概要をあらわす正面図
【図２】便器装置において洗浄水タンクに洗浄水が貯留されている状態をあらわす概略側断面図
【図３】便鉢部の汚物が排出され、洗浄水タンクから便鉢部へ洗浄水が供給されている状態をあらわす概略側断面図
【図４】平常時において洗浄水タンクに洗浄水が貯留されている状態をあらわす正断面図
【図５】節水時において洗浄水タンクに貯留されている洗浄水の量が多い状態をあらわす正断面図
【図６】節水時において洗浄水タンクに貯留されている洗浄水の量が少ない状態をあらわす正断面図
【図７】中蓋の斜視図
【図８】実施例２の便器システムの概要をあらわす正面図
【発明を実施するための形態】
【０００９】
本発明は、前記便器装置には、前記便鉢部に供給するための洗浄水を貯留する洗浄水タンクが設けられ、前記供給モード変更手段が、前記洗浄水タンクの給水口を開閉する弁体と、前記弁体に浮力を付与する浮力付与形態と前記弁体に対する浮力の付与を解除する浮力解除形態との間で変更が可能なフロートを備えて構成されていてもよい。この構成によれば、平常時は、フロートを浮力付与形態にしておけば、供給モード変更手段が平常モードとなり、給水口の開放時間が長くなるので、洗浄水タンクから便鉢部への供給量が多くなる。節水時は、フロートを浮力解除形態に変更すれば、供給モード変更手段が節水モードになり、給水口の開放時間が短くなるので、洗浄水タンクから便鉢部への供給量を少なくすることができる。また、節水時は洗浄水の使用量が少ないので、節水モードの状態で洗浄水タンク内に洗浄水を貯留しておけば、洗浄水タンクが満水の状態から複数回の洗浄操作が可能となる。したがって、便器装置を使用する度にバケツ等で便鉢部に洗浄水を流し込む、という煩わしい作業が不要である。
【００１０】
本発明は、前記便器装置に設けられ、前記便鉢部に供給するための洗浄水を貯留可能な洗浄水タンクと、前記洗浄水タンクの上面の開口部に取り付けられた中蓋と、前記中蓋に形成され、前記洗浄水タンク内に水を注入することを可能にする注水口を備えていてもよい。この構成によれば、断水時には、洗浄水タンクの外蓋を開けておけば、中蓋を洗浄水タンクに取り付けた状態のままでも、洗浄水タンク内に洗浄水を補給することができる。
【００１１】
本発明は、前記中蓋に形成され、前記注水口を包囲するように配された周壁部と、前記中蓋の上面に形成され、前記中蓋の外周側から前記注水口側に向かって下るように傾斜した傾斜面を備えていてもよい。この構成によれば、注水口から洗浄水タンク内に水を流し込む際に、水の一部が中蓋の上面に乗り上げても、その水が中蓋の外周縁から洗浄水タンクの外へ流れ落ちて便器装置外へ漏水するのを防ぐことができる。また、注水口から洗浄水タンク内に水を流し込む際に、水の一部が中蓋の上面に付着しても、その水は傾斜面の傾斜によって注水口へ誘導されるので、中蓋の上面に残留する水の量を減らすことができる。
【００１２】
本発明は、前記洗浄水タンク内においてオーバーフロー口を上向きに開口させたオーバーフロー管と、前記中蓋に形成され、前記オーバーフロー口の上方に間隔を空けて配された覆い部を備えていてもよい。この構成によれば、注水口から水を洗浄水タンク内に注入する際に、水の一部がオーバーフロー管に流入してしまうことを防止できる。
【００１３】
本発明は、前記便器装置に設けられ、前記便鉢部に供給するための洗浄水を貯留可能な洗浄水タンクと、平面視における前記洗浄水タンクの外側から前記洗浄水タンク内の水位を目視確認可能な水位確認部材を備えていてもよい。この構成によれば、洗浄水タンクの内部を上から覗き込まなくても、洗浄水タンク内の水位を確認することができる。
【００１４】
＜実施例１＞
以下、本発明を具体化した実施例１を図１〜図７を参照して説明する。尚、以下の説明において、前後の方向については、図２，３における左方を前方と定義する。上下の方向については、図１〜７にあらわれる向きを、そのまま上方、下方と定義する。
【００１５】
＜便器システムＡの全体構成＞
本実施例１の便器システムＡは、公共施設（例えば、学校等）や商業施設等に設けられるものであり、施設の床下に設けられた１本の横引配管１０の上方に配されている。便器システムＡは、１つの搬送用給水装置１１と複数の便器装置１７を、横引配管１０の配管方向（長手方向）に沿って一列に並ぶように配置して構成されている。搬送用給水装置１１は、横引配管１０の配管方向において最も上流側の位置に配置され、複数の便器装置１７は、搬送用給水装置１１より下流側の領域に適宜間隔を空けて配置されている。横引配管１０の下流端は、下水管１６に接続されている。
【００１６】
便器システムＡは、平常時と節水時のいずれにおいても、便器装置１７（便鉢部１９）内の汚物を横引配管１０側へ排出できるとともに、横引配管１０の汚物を確実に下水管１６へ搬送できるようになっている。本実施例において、「平常時」は、ライフラインが正常に機能して、上水道設備から搬送用給水装置１１及び便器装置１７に対し必要な量の水が供給され得る状態と定義する。「節水時」は、災害によるライフラインの停止や一時的な断水のために、上水道設備から搬送用給水装置１１及び便器装置１７へ水が供給されなくなった状態と定義する。
【００１７】
＜搬送用給水装置１１＞
搬送用給水装置１１は、上面が開放された水槽１２と、給水管１３とを備えている。給水管１３にはトラップ（図示省略）が設けられ、下水管１６との縁切りがされている。給水管１３の上端部（上流端部）は水槽１２の底部に接続され、給水管１３の下端部（下流端部）は、連通管１４を介して横引配管１０に接続されている。給水管１３と連通管１４は、水槽１２と横引配管１０とを連通させる給水路１５を構成する。
【００１８】
給水路１５は、概ね上下方向に真っ直ぐ延びた直線経路である。水槽１２に流し込んだ水は、給水管１３を流下して横引配管１０に流れ込み、横引配管１０内の汚物を下水管１６へ搬送するための洗浄水Ｗとして機能する。給水管１３は上下方向の直管からなるので、水槽１２内の洗浄水Ｗは、給水管１３を勢い良く流れ落ち、流勢が維持されたまま横引配管１０に到達する。
【００１９】
＜便器装置１７＞
便器装置１７は、施設の床面に設置される便器本体１８と、便器本体１８に付帯するフラッパー弁２４と、便器本体１８に付帯する洗浄水タンク２８とを備えて構成されている。便器本体１８は、上面が開放された便鉢部１９と、便鉢部１９の底部において下向きに開口する排水口２０と、排水口２０から下方へ延出した排水孔２１とを有している。排水孔２１の下端部には、排水管２２の上流端が接続されている。
【００２０】
排水管２２の下流端は、横引配管１０のうち給水管１３の接続部位よりも下流側（下水管１６に近い側）の領域に接続されている。排水孔２１と排水管２２は、便鉢部１９内の汚物を洗浄水Ｗとともに横引配管１０へ排出させるための排出路２３を構成する。排出路２３の上流端（排水口２０）から下流端（横引配管１０）に至る経路は、概ね上下方向に真っ直ぐ延びた直線経路である。
【００２１】
＜フラッパー弁２４＞
フラッパー弁２４は、排水口２０を開閉する手段として機能するものである。フラッパー弁２４は、左右方向の水平軸を支点として上下方向に揺動するフラップ２５と、フラップ２５を閉弁方向に付勢するための閉弁バネ２６とを備えている。閉弁バネ２６は、フラップ２５に形成したリンクアーム２７と、便器本体１８との間に装着されている。フラッパー弁２４は、常には、閉弁バネ２６の弾力によりフラップ２５が排水口２０を閉塞する閉弁状態（図２を参照）に保持されている。閉弁状態（図３を参照）では、便鉢部１９内が排出路２３及び横引配管１０から液密状に遮蔽されるので、便鉢部１９内には洗浄水Ｗが貯留された状態に保たれる。
【００２２】
閉弁状態のフラップ２５に閉弁バネ２６の弾力を上回る回動力が作用すると、フラップ２５は開弁方向へ揺動し、排水口２０が開放されるようになっている。排水口２０が開放されると、便鉢部１９内が排出路２３及び横引配管１０と連通するので、便鉢部１９内の洗浄水Ｗと汚物が、排出路２３内を通って横引配管１０内へ排出される。排出路２３は、上昇経路を有しない鉛直方向の直線経路なので、便鉢部１９内の洗浄水Ｗと汚物は、自重により横引配管１０へ落下する。
【００２３】
＜洗浄水タンク２８＞
洗浄水タンク２８は、便器本体１８の後端部に設けられている。洗浄水タンク２８は、アウタタンク２９と、外蓋６６と、インナタンク３０と、中蓋５１と、オーバーフロー管３３と、ボールタップ３５と、フロート弁３８（請求項に記載の供給モード変更手段）と、浮き６２（請求項に記載の水位確認部材）とを備えて構成されている。アウタタンク２９は、上面が開放された箱形をなし、便器本体１８の上面後端部に載置された状態で取り付けられている。アウタタンク２９の上面の開口部は、アウタタンク２９に対して着脱可能な外蓋６６により開閉されるようになっている。
【００２４】
インナタンク３０は、上面が開放された箱形をなし、アウタタンク２９内に収容されている。インナタンク３０の上面の開口部は、インナタンク３０に対して着脱可能な中蓋５１により開閉されるようになっている。アウタタンク２９の内周面とインナタンク３０の外周面との間の空間は、作動空間３２となっている。インナタンク３０内には、便鉢部１９に供給するための洗浄水Ｗが貯留されるようになっている。インナタンク３０の底部には、便鉢部１９に連通する給水口３１が形成されている。
【００２５】
オーバーフロー管３３は、インナタンク３０の内部に配置されている。オーバーフロー管３３の上端部は上向きに開口するオーバーフロー口３４となっている。オーバーフロー管３３の下端部は、便鉢部１９に連通している。オーバーフロー管３３を設けたことにより、インナタンク３０内の洗浄水Ｗの静止状態の水面が規定水位より上昇しないようになっている。
【００２６】
ボールタップ３５は、インナタンク３０の側壁に取り付けた給水弁３６と、給水弁３６に上下方向への揺動を可能に連結した浮玉３７とを備えて構成されている。インナタンク３０内の水位が低い状態では、浮玉３７が自重により下方へ変位して給水弁３６が開弁し、上水道設備からインナタンク３０内へ水が供給されるようになっている。インナタンク３０内の水位が上昇する過程では、浮玉３７が、浮力により水面に浮いた状態となり、洗浄水Ｗの水位と一体的に上方へ変位する。浮玉３７と水位が規定の高さに達すると、給水弁３６が閉弁し、上水道設備からインナタンク３０への給水が停止する。
【００２７】
＜フロート弁３８＞
フロート弁３８は、揺動軸３９と、レバー４０と、玉鎖４１と、弁体４２と、フロート４３と、止めリング４４とを備えて構成されている。揺動軸３９は、軸線を左右方向に向けていて、アウタタンク２９の側壁部に貫通状態で取り付けられている。揺動軸３９は、軸線回りに回動可能であり、揺動軸３９のうちアウタタンク２９の外部に突出した外端部には、手動操作用のレバー４０が一体的に揺動し得るように取り付けられている。揺動軸３９のうちアウタタンク２９内に収容された内端部には、揺動軸３９から径方向外方へ突出した形態の第１アーム部４５が形成されている。第１アーム部４５には玉鎖４１の上端部が連結され、玉鎖４１は、インナタンク３０内において第１アーム部４５から垂れ下がった状態となっている。
【００２８】
玉鎖４１の下端部には弁体４２が連結されている。弁体４２は、インナタンク３０の底部に上下方向の揺動を可能に取り付けられている。弁体４２が上昇すると、給水口３１が開放されてフロート弁３８が開弁状態となり、インナタンク３０に貯留されている洗浄水Ｗが便鉢部１９へ供給される。弁体４２が下降すると、給水口３１が閉塞されてフロート弁３８が閉弁状態となり、インナタンク３０から便鉢部１９への洗浄水Ｗの供給が停止する。フロート４３は、玉鎖４１に対し長さ方向に沿って相対変位し得るように取り付けられている。
【００２９】
止めリング４４は、フロート４３より上方の位置において玉鎖４１に固定して取り付けられている。フロート４３は、止めリング４４に当接することより、玉鎖４１に対して上方へ相対移動することを規制される。玉鎖４１に止めリング４４を固定することにより、フロート４３が弁体４２に対して浮力を付与可能な浮力付与形態となり、フロート弁３８が、上水道設備から洗浄水タンク２８に支障なく水が供給される平常時に対応した平常モードとなる。
【００３０】
＜開弁用操作機構４６＞
便器装置１７には、フラッパー弁２４とフロート弁３８をレバー４０のワンアクション操作により連動してほぼ同時に開弁させるための手段として、開弁用操作機構４６が設けられている。開弁用操作機構４６は、上記の揺動軸３９とレバー４０に加えて、第１リンクバー４７と、第２リンクバー４８と、揺動ブラケット４９とを備えて構成されている。揺動軸３９のうち平面視において作動空間３２と対応する位置には、揺動軸３９から径方向外方へ延出した第２アーム部５０が形成されている。
【００３１】
第２アーム部５０には、作動空間３２内に収容された第１リンクバー４７の上端部が連結されている。第１リンクバー４７はアウタタンク２９の底壁部を貫通しており、第１リンクバー４７の下端部は揺動ブラケット４９に連結されている。揺動ブラケット４９には、洗浄水タンク２８の下方に配された第２リンクバー４８の後端部が連結されている。第２リンクバー４８の前端部は、フラップ２５のリンクアーム２７に連結されている。リンクアーム２７と第２リンクバー４８は、閉弁バネ２６の弾性復元力により、常に前方へ付勢されている。
【００３２】
＜中蓋５１＞
中蓋５１は、合成樹脂製の単一部材であり、蓋本体部５２と、周壁部５３と、注水口５４と、ボトル保持部５８とを備えている。蓋本体部５２は、全体として概ね水平な板状をなし、インナタンク３０の上面の開口部のほぼ全体を覆うようになっている。周壁部５３は、蓋本体部５２の外周縁の全領域から上方へ立ち上がった形態である。
【００３３】
注水口５４は、蓋本体部５２の一部を上面から下面まで貫通するように切欠した形態である。蓋本体部５２の下面には、注水口５４の開口縁に沿って下方へ筒状に突出した形態のスカート部５５が形成されている。蓋本体部５２の上面には、蓋本体部５２の右側縁部（外周縁）から左方（注水口５４側）に向かって次第に低くなるように傾斜した傾斜面５６が形成されている。同じく蓋本体部５２の上面には、蓋本体部５２の左側縁部（外周縁）から右方（注水口５４側）に向かって次第に低くなるように傾斜した傾斜面５６が形成されている。
【００３４】
中蓋５１には、スカート部５５の内周面から注水口５４の中心部に向かって延出した複数の支持板部５７が形成されている。複数の支持板部５７の延出端部は、平面視円形の筒状をなすボトル保持部５８の外周面に連なっている。即ち、ボトル保持部５８は、複数の支持板部５７により、スカート部５５の内周面（注水口５４の開口縁）から離間した状態で注水口５４の開口領域内に配置されている。また、複数の支持板部５７の上端縁部のうち、ボトル保持部５８に連なる領域には、ボトル保持部５８に向かって低くなるように傾斜したガイド縁部５９が形成されている。
【００３５】
中蓋５１のうち平面視においてオーバーフロー口３４と対応する領域には、覆い部６０が形成されている。覆い部６０は、オーバーフロー口３４よりも上方に配置され、平面視においてオーバーフロー口３４の全体を覆い隠す形態である。オーバーフロー口３４の一部は、平面視においてスカート部５５で包囲された領域と重なっている。覆い部６０は、スカート部５５の下端縁部と一部の支持板部５７の下端縁部とに連なった状態となっている。
【００３６】
中蓋５１には、蓋本体部５２の上面から下面まで上下に貫通した形態のガイド筒部６１が形成されている。ガイド筒部６１には、浮き６２が中蓋５１に対して上下方向へ相対移動可能に挿通されるようになっている。浮き６２は、全体として上下方向に細長い棒状をなしている。浮き６２の比重は、水よりも小さく設定されている。浮き６２を水に浮かべると、浮き６２のうち上端側の領域が水面より上方へ突出した状態を保つ。浮き６２のうち水面より上方に突出した部分の上端部は、指標部６３として機能する。
【００３７】
＜平常時における使用形態＞
便器装置１７は、常には、閉弁バネ２６の弾性復元力によりレバー４０と揺動軸３９が初期位置に保持され、フラッパー弁２４とフロート弁３８が閉弁状態に保たれている。フロート弁３８においては、フロート４３が浮力付与形態となっており、フロート弁３８が平常モードとなっている。洗浄水タンク２８には上水道設備から供給された１０リットル以上の水が、洗浄水Ｗとして満水状態で貯留され、便鉢部１９内には６００ｃｃ程度の洗浄水Ｗが貯留されている。
【００３８】
便器装置１７を使用した後、閉弁バネ２６の弾力に抗してレバー４０を洗浄方向へ回動操作すると、玉鎖４１が引き上げられて弁体４２が上方へ揺動することにより、給水口３１が開放されてフロート弁３８が開弁し、洗浄水タンク２８内の洗浄水Ｗが便鉢部１９へ供給される。レバー４０を回動操作した後、直ぐにレバー４０から手を離しても、洗浄水Ｗの水位が所定位置より高い間は、弁体４２がフロート４３の浮力により給水口３１を開放した状態を保つ。これにより、フロート弁３８は一定時間の間、開弁状態を維持するので、洗浄水Ｗから便鉢部１９への洗浄水Ｗの供給量は、５〜６リットル程度と比較的多い量となる。
【００３９】
また、レバー４０を洗浄方向へ回動操作すると、フロート弁３８が開弁すると同時に、フラッパー弁２４も開弁する。このとき、レバー４０の回動によって第１リンクバー４７が上昇し、揺動ブラケット４９が回動して第２リンクバー４８が後方へ変位し、フラップ２５が下方へ揺動して排水口２０が開放される。フラッパー弁２４が開弁すると、便鉢部１９内の汚物が、洗浄水Ｗとともに排出路２３内を勢い良く流下する。
【００４０】
上記のように洗浄水タンク２８から便鉢部１９に供給される洗浄水Ｗの量は５〜６リットルと多いので、横引配管１０へ排出された汚物は、多量の洗浄水Ｗに乗じて下水管１６まで搬送される。したがって、平常時は、洗浄水タンク２８から便鉢部１９に供給される洗浄水Ｗだけで、便鉢部１９内の汚物を横引配管１０へ排出できるとともに、横引配管１０へ排出された汚物を下水管１６まで搬送することができる。レバー４０から手を離すと、フラッパー弁２４が閉弁バネ２６の付勢により閉弁するが、フラッパー弁２４の閉弁後も洗浄水タンク２８から便鉢部１９へ洗浄水Ｗが供給されるので、便鉢部１９内には、６００ｃｃ程度の洗浄水Ｗが貯留される。
【００４１】
＜節水時における使用形態＞
災害や上水道設備の故障等により洗浄水タンク２８への給水が停止した場合は、各便器装置１７のフロート弁３８において、洗浄水タンク２８から便鉢部１９への洗浄水Ｗの供給量を減らすための変更作業を行う。具体的には、まず、外蓋６６をアウタタンク２９から取外し、中蓋５１をインナタンク３０から外す。この状態で、玉鎖４１から止めリング４４を外し、フロート４３が玉鎖４１に沿って上方へ自由に移動できるようにする。
【００４２】
これにより、フロート４３は、玉鎖４１を介して弁体４２に連結されて弁体４２に浮力を付与する浮力付与形態（平常時用の形態）から、弁体４２との連結が解除されて弁体４２に浮力を付与しない浮力解除形態（断水時用の形態）へ変更される。フロート４３が浮力解除形態に変更されると、フロート弁３８は平常モードから節水モードに変更される。フロート４３を浮力解除形態へ変更した後は、中蓋５１をインナタンク３０に取り付ける。
【００４３】
節水時において便器装置１７を使用した後は、平常時と同様、レバー４０を洗浄方向へ回動操作し、直ぐにレバー４０から手を離す。レバー４０を回動させると、弁体４２が上方へ揺動するのでフロート弁３８が開弁し、洗浄水タンク２８内の洗浄水Ｗが便鉢部１９へ供給される。レバー４０から手を離すと、閉弁バネ２６の付勢によってレバー４０が初期位置に戻る。レバー４０が初期位置に戻ると、フロート４３の浮力を受けていない弁体４２は、自重と洗浄水タンク２８内の水圧（洗浄水Ｗの圧力）により直ちに下方へ揺動して給水口３１を閉塞するので、フロート弁３８が閉弁状態となる。弁体４２が給水口３１を開放させている時間は短いので、洗浄水タンク２８から便鉢部１９へ供給される洗浄水Ｗの量は、１リットル程度と平常時より少ない。
【００４４】
また、レバー４０を洗浄方向へ回動操作すると、平常時と同じくフロート弁３８が開弁すると同時にフラッパー弁２４も開弁し、便鉢部１９内の汚物と洗浄水Ｗが横引配管１０へ排出される。レバー４０から手を離すと、フラッパー弁２４が閉弁するので、便鉢部１９内には平常時と同様、６００ｃｃ程度の洗浄水Ｗが貯留される。上記のように、フロート４３を浮力解除形態へ変更した状態では、洗浄水タンク２８から便鉢部１９へ供給される洗浄水Ｗの量が平常時に比べて少ないので、便鉢部１９から横引配管１０へ排出された汚物は、下水管１６までは到達せず、横引配管１０内に留まる。
【００４５】
横引配管１０内に残留している汚物を下水管１６へ搬送するためには、搬送用給水装置１１を使用する。具体的には、便器装置１７の使用頻度等を勘案し、水槽１２に大量の洗浄水Ｗを流し込む。水槽１２に流し込まれた大量の洗浄水Ｗは、鉛直方向の給水管１３を勢い良く流下して横引配管１０に流入し、水勢を維持したまま横引配管１０内に溜まった汚物を巻き込んで下水管１６へ流出する。このように、搬送用給水装置１１に流し込んだ洗浄水Ｗによって、横引配管１０内の汚物がまとめて下水管１６へ搬送される。
【００４６】
尚、搬送用給水装置１１の使用形態としては、水槽１２の底部における給水管１３の上端部を栓（図示省略）で塞いで、水槽１２に洗浄水Ｗを貯留しておき、栓（図示省略）を抜くことによって水槽１２内の洗浄水Ｗを横引配管１０へ供給するようにしてもよい。
【００４７】
節水時において、洗浄水タンク２８に洗浄水Ｗを補給する作業は、中蓋５１をインナタンク３０に取り付けた状態で行うことができる。インナタンク３０への給水は、バケツ等のような容積の大きい容器や、バケツに比べて容積の小さい飲料ボトル６４（ペットボトル）や柄杓（図示省略）等を用いることができる。
【００４８】
バケツで給水する場合には、バケツ内の水を中蓋５１の注水口５４に向けて流し入れるようにする。このとき、水の一部が注水口５４から外れて蓋本体部５２の上面を外周側に向かって流れても、中蓋５１の外周縁には周壁部５３が立ち上がっているので、蓋本体部５２の上面の水がインナタンク３０とアウタタンク２９との間の作動空間３２へ溢れ出す虞はない。
【００４９】
注水口５４から外れて蓋本体部５２の上面の左右両端部側へ流れた水は、傾斜面５６の傾斜により注水口５４側へ戻ってくる。また、オーバーフロー口３４の上方には、覆い部６０が設けられているので、バケツから注水口５４へ流し込んだ水が、オーバーフロー口３４を通って便鉢部１９へ排出されてしまう、という虞はない。
【００５０】
飲料ボトル６４で給水する際には、飲料ボトル６４を上下逆向きにして、飲み口６５をボトル保持部５８に差し込み、飲料ボトル６４の肩部（飲み口６５の周囲のドーム状の部分）をガイド縁部５９に載置する。これにより、飲料ボトル６４の姿勢が安定し、飲料ボトル６４が傾く虞がなくなるので、飲料ボトル６４から手を離したままでも、飲料ボトル６４からインナタンク３０（洗浄水タンク２８）への給水を行うことができる。
【００５１】
また、中蓋５１をインナタンク３０に取り付けておいた場合は、浮き６２を、ガイド筒部６１に挿通し、インナタンク３０内の洗浄水Ｗに浮かべておくことが好ましい。洗浄水Ｗの貯水量が多い場合は、浮き６２の上端部の指標部６３が洗浄水タンク２８（中蓋５１）の上方へ大きく突出した状態となり、洗浄水Ｗの貯水量が少なくなると、指標部６３の高さが低くなる。このように、指標部６３の高さを目視することによって、洗浄水タンク２８内の洗浄水Ｗの水位（貯水量）を判別できるので、洗浄水タンク２８への洗浄水Ｗの補給のタイミングを計ることができる。
【００５２】
＜実施例１の効果＞
便器システムＡは、複数の便器装置１７と、１基の搬送用給水装置１１と、フロート弁３８（供給モード変更手段）を備えている。各便器装置１７は、横引配管１０と連通可能な排水口２０を便鉢部１９の底部に開口させた形態である。複数の便器装置１７は、横引配管１０に沿って配置されている。便器装置１７には、便鉢部１９の排水口２０を閉塞する閉弁方向に付勢され、開弁時には排水口２０を横引配管１０に連通させるフラッパー弁２４が設けられている。搬送用給水装置１１は、横引配管１０のうち複数の便器装置１７との接続部位より上流側の部位に接続され、横引配管１０へ洗浄水Ｗを供給し得るようになっている。フロート弁３８は、便鉢部１９への洗浄水Ｗの供給量が多い平常モードと、便鉢部１９への洗浄水Ｗの供給量が平常時モードより少ない節水モードとの間で変更可能である。
【００５３】
便器装置１７への給水量が制限されない平常時は、フロート弁３８を平常モードにして便鉢部１９への洗浄水Ｗの供給量を多くする。これにより、フラッパー弁２４の開弁によって便鉢部１９から横引配管１０へ排出された便鉢部１９内の汚物は、便鉢部１９に供給された洗浄水Ｗの流れに乗じて横引配管１０から下水管１６へ排出される。これに対し、災害時のように便器装置１７への供給量が制限される状況下（節水時）においては、フロート弁３８を節水モードに変更して便鉢部１９への給水量を少なくすれば、洗浄水Ｗの消費量を低減することができる。節水モードの状態では、便鉢部１９内の汚物は、フラッパー弁２４の開弁により便鉢部１９から横引配管１０へ排出されるが、下水管１６にまでは到達しない。しかし、横引配管１０内に残留している汚物は、搬送用給水装置１１から横引配管１０へ洗浄水Ｗを供給することによって下水管１６へ搬送することができる。
【００５４】
また、便器装置１７には、便鉢部１９に供給するための洗浄水Ｗを貯留する洗浄水タンク２８が設けられ、洗浄水タンク２８には上記したフロート弁３８が設けられている。フロート弁３８は、洗浄水タンク２８の給水口３１を開閉する弁体４２と、フロート４３とを備えており、本来、洗浄水タンク２８から便鉢部１９への洗浄水Ｗの供給と停止を行うバルブ機能を有するものである。フロート４３は、弁体４２に浮力を付与する浮力付与形態と、弁体４２に対する浮力の付与を解除する浮力解除形態との間で変更が可能である。この変更機能をフロート４３に持たせることで、フロート弁３８は上記した供給モード変更手段としての機能を兼ね備えたものとなっている。
【００５５】
平常時は、フロート４３を浮力付与形態にすれば、フロート弁３８が平常モードとなり、給水口３１の開放時間が長くなるので、洗浄水タンク２８から便鉢部１９への給水量が多くなる。節水時は、フロート４３を浮力解除形態に変更すれば、フロート弁３８が節水モードとなり、給水口３１の開放時間が短くなるので、洗浄水タンク２８から便鉢部１９への給水量を少なくすることができる。また、また、節水時は一回当たりの洗浄水Ｗの使用量が少ないので、節水モードの状態で洗浄水タンク２８内に洗浄水Ｗを貯留して満水の状態にしておけば、複数回の洗浄操作が可能となる。したがって、便器装置１７を使用する度にバケツ等で便鉢部１９に洗浄水Ｗを流し込む、という煩わしい作業が不要となる。
【００５６】
また、便器装置１７は、便鉢部１９に供給するための洗浄水Ｗを貯留可能なインナタンク３０（洗浄水タンク２８）と、インナタンク３０の上面の開口部に取り付けられた中蓋５１とを備えている。中蓋５１には、インナタンク３０内に水を注入することを可能にする注水口５４が形成されている。この構成によれば、節水時（断水時）には、中蓋５１を洗浄水タンク２８に取り付けた状態のままでも、洗浄水タンク２８内に洗浄水Ｗを補給することができる。注水口５４には、飲料ボトル６４の飲み口６５を保持可能なボトル保持部５８が形成されているので、飲料ボトル６４の飲み口６５をボトル保持部５８に嵌合することにより、洗浄水タンク２８に水を補給する作業が行い易くなる。
【００５７】
また、中蓋５１には、中蓋５１の外周縁に沿って立ち上がる周壁部５３が形成されている。周壁部５３は注水口５４を全周に亘って包囲するように配されている。したがって、バケツ等を用いて注水口５４から大量の水を洗浄水タンク２８（インナタンク３０）内に流し込む際に、水の一部が中蓋５１の上面に付着しても、その水が中蓋５１の外周縁から流れ落ちる虞はない。
【００５８】
また、中蓋５１の上面には、中蓋５１の外周側から注水口５４側に向かって下るように傾斜した傾斜面５６が形成されている。したがって、注水口５４からインナタンク３０（洗浄水タンク２８）内に水を流し込む際に、水の一部が中蓋５１の上面に付着しても、その水は傾斜面５６の傾斜によって注水口５４へ誘導されるので、中蓋５１の上面に残留する水の量を減らすことができる。
【００５９】
また、洗浄水タンク２８（インナタンク３０）内には、オーバーフロー口３４を上向きに開口させたオーバーフロー管３３が設けられ、中蓋５１には、オーバーフロー口３４の上方に間隔を空けて配された覆い部６０が形成されている。この構成によれば、注水口５４から水を洗浄水タンク２８内に注入する際に、水の一部がオーバーフロー管３３に流入してしまうことを防止できる。
【００６０】
また、便器装置１７には、便鉢部１９に供給するための洗浄水Ｗを貯留可能な洗浄水タンク２８（インナタンク３０）と、平面視における洗浄水タンク２８の外側からインナタンク３０内の水位を目視可能な浮き６２が設けられている。浮き６２は、水より比重が小さく、水に浮いた状態で水面から上向きに突出する指標部６３を有する。浮き６２のうち少なくとも指標部６３は、洗浄水タンク２８の前方や側方から目視することができる。したがって、中蓋５１を取り外して洗浄水タンク２８（インナタンク３０）の内部を上から覗き込まなくても、指標部６３と洗浄水タンク２８（アウタタンク２９）の上端との高さを目視で比較したり、指標部６３が洗浄水タンク２８の上方へ突出しているか否か等を目視することにより、洗浄水タンク２８内の水位を確認することができる。
【００６１】
＜実施例２＞
次に、本発明を具体化した実施例２を図８を参照して説明する。本実施例２の便器システムＢは、搬送用給水装置６７を上記実施例１とは異なる構成としたものである。その他の構成については上記実施例１と同じであるため、同じ構成については、同一符号を付し、構造、作用及び効果の説明は省略する。
【００６２】
搬送用給水装置６７は、汚水貯留槽６８と、水中ポンプ６９と、圧送管７０とを備えて構成されている。汚水貯留槽６８は、横引配管１０のうち最も下流側に位置する便器装置１７との接続部位よりも更に下流側の位置に接続されている。水中ポンプ６９は汚水貯留槽６８内に設置されている。圧送管７０の上流端は水中ポンプ６９に接続され、圧送管７０の下流端は、横引配管１０のうち最も上流側に位置する便器装置１７との接続部位よりも上流側に接続されている。
【００６３】
横引配管１０内に残留している汚物を下水管１６へ搬送する際には、水中ポンプ６９を起動して汚水貯留槽６８内に貯留されている汚水を、圧送管７０を通して横引配管１０の上流端へ圧送すればよい。本実施例２によれば、便鉢部１９内を洗浄するための洗浄水Ｗを使わずに済むので、節水効果が高い。
【００６４】
＜他の実施例＞
本発明は上記記述及び図面によって説明した実施例に限定されるものではなく、例えば次のような実施例も本発明の技術的範囲に含まれる。
（１）上記実施例では、フラッパー弁を閉弁方向に付勢する手段として閉弁バネを用いたが、付勢手段は、ウエイトを用いたものであってもよい。
（２）上記実施例では、平常時にフラッパー弁を開弁する手段として、洗浄水タンクに設けた手動操作タイプのレバーを用いたが、フラッパー弁は、ペダルの足踏み操作で開弁させてもよく、便鉢部にバケツ等で投入した洗浄水の重量や圧力で開弁させてもよい。
（３）上記実施例では、節水時にフラッパー弁を開弁する手段として、洗浄水タンクに設けた手動操作タイプのレバーを用いたが、フラッパー弁は、ペダルの足踏み操作で開弁させてもよく、便鉢部にバケツ等で投入した洗浄水の重量や圧力で開弁させてもよい。
（４）上記実施例では、平常時に、レバーのワンアクション操作により、フラッパー弁の開弁動作と便鉢部への洗浄水の給水を連動させて行うようにしたが、フラッパー弁の開弁と便鉢部への洗浄水の給水は、連動させずに個別に実行されるようにしてもよい。
（５）上記実施例では、節水時に、レバーのワンアクション操作により、フラッパー弁の開弁動作と便鉢部への洗浄水の給水を連動させて行うようにしたが、フラッパー弁の開弁と便鉢部への洗浄水の給水は、連動させずに個別に実行されるようにしてもよい。
（６）上記実施例では、平常時に、フラッパー弁が閉弁している状態で便鉢部に洗浄水を溜めるようになっているが、フラッパー弁が閉弁している状態で便鉢部に洗浄水を溜めないようにしてもよい。
（７）上記実施例では、節水時に、フラッパー弁が閉弁している状態で便鉢部に洗浄水を溜めるようになっているが、フラッパー弁が閉弁している状態で便鉢部に洗浄水を溜めないようにしてもよい。
（８）上記実施例では、洗浄水タンクに供給モード変更手段を設けることにより、節水時にも洗浄水タンク内の洗浄水を便鉢部に供給するようにしたが、洗浄水タンクに供給モード変更手段を設けず、節水時には、洗浄水タンクへの給水を行わずに、バケツ、柄杓、飲料ボルト（ペットボトル）等を用いて手作業によって洗浄水を便鉢部に流し込み、レバーの操作によって便鉢部内の汚物を横引配管へ排出するようにしてもよい。
（９）上記実施例では、搬送用給水装置が便器装置としての機能を有しない専用の単機能装置であるが、搬送用給水装置は便器装置としての機能を兼ね備えたものであってもよい。便器装置兼用の搬送用給水装置は、他の便器装置と同一構造であってもよく、他の便器装置とは異なる構造であってもよい。
（１０）上記実施例では、フロートを浮力付与形態から浮力解除形態へ変更する手段として、フロートの止めリングを玉鎖から外してフロートと弁体の連結を解除するようにしたが、フロートを浮力解除形態へ変更する手段としては、フロート内に水を注入してもよく、フロートに錘を載せてもよい。また、１つの弁体に２本の玉鎖を接続して一方の玉鎖にフロートを取付ける構造とした上で、フロートが取り付けられている玉鎖を、フロートと玉鎖を連結した状態のままで弁体から切り離してもよく、フロートが取り付けられている玉鎖を切断してフロートを弁体から切り離してもよい。
（１１）上記実施例では、フロートを浮力解除形態へ変更するときに止めリングを玉鎖から外すようにしたが、止めリングは、玉鎖から外さずに、玉鎖に対して自由に昇降可能に遊嵌させておくようにしてもよい。
（１２）上記実施例では、中蓋に注水口が形成されているが、中蓋は、注水口を有しないものであってもよい。
（１３）上記実施例では、中蓋に周壁部が形成されているが、中蓋は周壁部を有しないものであってもよい。
（１４）上記実施例では、中蓋の上面に傾斜面が形成されているが、中蓋は傾斜面を有しないものであってもよい。
（１５）上記実施例では、洗浄水タンクに水位確認部材を設けているが、洗浄水タンクは水位確認部材を有しないものであってもよい。
（１６）上記実施例では、水位確認部材が水に浮かべて使用する浮きであるが、水位確認部材は、洗浄水タンクの上方に配置したミラーであってもよい。この場合、ミラーを洗浄水タンクの上方に斜めの向きにして配置し、便器装置の前方から洗浄水タンクの内部がミラーに映るようにしてもよい。
（１７）上記実施例では、ライフラインが止まって洗浄水タンクに手作業で水を補給する場合に、中蓋を取り付けたままで水を洗浄水タンク内に注入するようにしたが、中蓋を外した状態で水を洗浄水タンクに補給するようにしてもよい。この場合、外した中蓋を洗浄水タンクの側面等に引っ掛けておくことで、ライフラインが止まっていることや、平常時とは違う形態で便器装置を使用すべきこと等を、周知させることができる。
（１８）上記実施例において、洗浄水タンクの外面に、給水用の柄杓や折り畳み式バケツを掛けておくためのホルダを設けてもよい。
（１９）上記実施例において、外蓋の裏面に、給水用の柄杓や折り畳み式バケツを収容するための収納スペースを設けてもよい。
（２０）上記実施例において、外蓋を、蛇腹状に変形可能な形態とすることでバケツとしての機能を持たせるようにしてもよい。
【符号の説明】
【００６５】
Ａ，Ｂ…便器システム
Ｗ…洗浄水
１０…横引配管
１１，６７…搬送用給水装置
１７…便器装置
１９…便鉢部
２０…排水口
２４…フラッパー弁
２８…洗浄水タンク
３１…給水口
３３…オーバーフロー管
３４…オーバーフロー口
３８…フロート弁（供給モード変更手段）
４２…弁体
４３…フロート
５１…中蓋
５３…周壁部
５４…注水口
５６…傾斜面
６０…覆い部
６２…浮き（水位確認部材）
【図１】
2019203256.tif 000003
【図２】
2019203256.tif 000004
【図３】
2019203256.tif 000005
【図４】
2019203256.tif 000006
【図５】
2019203256.tif 000007
【図６】
2019203256.tif 000008
【図７】
2019203256.tif 000009
【図８】
2019203256.tif 000010